(57)【要約】【課題】    商店街やショッピングモールなどの複数の小売店が駐車場の割引券を提供する場合において、顧客の利便性を向上させた提供を行うことを目的とする。【解決手段】    駐車料金割引システムは料金処理装置と駐車料金割引機と電子マネー記憶媒体からなる。この料金処理装置は顧客が買上げた商品の合計金額を、前記電子マネー記憶媒体の購入記憶部に累計記憶させる。そして、顧客はこの電子マネー記憶媒体に記憶された累計金額を前記駐車料金割引機に読込ませる。これにより顧客は累計金額に対して割引を得ることができる。【選択図】  図７
2010140175.tif 000002
【特許請求の範囲】
【請求項１】
購入金額を記憶する購入記憶部を有する電子マネー記憶媒体と、
金額を入力する金額入力手段と、
前記金額入力手段により入力された金額を電子マネーを用いて精算する精算手段と、
前記精算手段により精算された金額を前記電子マネー記憶媒体の購入記憶部に累計記憶させる累計記憶手段とを有する料金処理装置と、
入庫情報と出庫情報の少なくとも一方から駐車料金を取得する駐車料金取得手段と、
前記電子マネー記憶媒体の購入記憶部に記憶されている購入金額を読込む金額読込み手段と、
前記金額読込み手段により読込まれた購入金額をもとに、購入金額と割引情報を対応付けて記憶する割引情報記憶手段から割引情報を取得する割引情報取得手段と、
前記駐車料金取得手段により取得した駐車料金と前記割引情報取得手段によって取得した割引情報とから駐車料金の残金を求める駐車残金求め手段と、
前記駐車残金求め手段によって求められた結果を表示する表示手段とを有する駐車料金割引機と、
を有することを特徴とする駐車料金割引システム。
【請求項２】
前記電子マネー記憶媒体の前記購入記憶部に記憶する購入金額は識別子ごとに管理され、
前記料金処理装置に、識別子を記憶する料金装置識別子記憶手段をさらに設け、
前記累計記憶手段は、前記料金装置識別子記憶手段に記憶する識別子に対応する前記電子マネー記憶媒体の前記購入記憶部の購入金額に累計記憶し、
前記駐車料金割引機に、識別子を記憶する駐車識別子記憶手段をさらに設け、
前記金額読込み手段は、前記電子マネーの前記購入記憶部から前記駐車識別子記憶手段に記憶されている識別子に対応する金額を読出すことを特徴とする請求項１に記載の駐車料金割引システム。
【請求項３】
入庫情報と出庫情報の少なくとも一方から駐車料金を取得する駐車料金取得手段と、
電子マネー記憶媒体の購入金額を記憶する購入記憶部に記憶されている金額を読込む金額読込み手段と、
前記金額読込み手段により読込まれた購入金額をもとに、購入金額と割引情報を対応付けて記憶する割引情報記憶手段から割引情報を取得する割引情報取得手段と、
前記駐車料金取得手段により取得した駐車料金と前記割引情報取得手段によって取得した割引情報とから駐車料金の残金を求める駐車残金求め手段と、
前記駐車残金求め手段によって求められた結果を表示する表示手段とを有することを特徴とする駐車料金割引機。
【請求項４】
購入金額を記憶する電子マネー記憶媒体と、料金処理装置と、前記電子マネー記憶媒体に記憶された購入金額に応じた割引を行う駐車料金割引機からなる駐車料金割引システムの前記料金処理装置であって、
金額を入力する金額入力手段と、
前記金額入力手段により入力された金額を電子マネーを用いて精算する精算手段と、
前記精算手段により精算された金額を前記電子マネー記憶媒体の購入記憶部に累計記憶させる累計記憶手段とを有することを特徴とする料金処理装置。
【請求項５】
購入金額を記憶する購入記憶部と、
金額の精算処理を行う料金処理装置から入力される購入金額を前記購入記憶部に累計記憶する使用金額記憶手段と、
前記使用金額記憶手段に累計記憶された購入金額を、累計金額に応じた駐車料金の割引を行う駐車料金割引機に出力する出力手段とを有することを特徴とする電子マネー記憶媒体。
【請求項６】
コンピュータを、
入庫情報と出庫情報の少なくとも一方から駐車料金を取得する駐車料金取得手段と、
電子マネー記憶媒体の顧客が購入した累計金額を記憶する累計記憶部に記憶されている金額を読込む金額読込み手段と、
前記金額読込み手段により読込まれた購入金額をもとに、購入金額と割引情報を対応付けて記憶する割引情報記憶手段から割引情報を取得する割引情報取得手段と、
前記駐車料金取得手段により取得した駐車料金と前記割引情報取得手段によって取得した割引情報とから駐車料金の残金を求める駐車残金求め手段と、
前記駐車残金求め手段によって求められた結果を表示する表示手段として機能させるための駐車料金割引プログラム。
【発明の詳細な説明】
【技術分野】
【０００１】
本発明は商店街やショッピングモール、駅ビルなどで利用される駐車料金割引システム、駐車料金割引機、料金処理装置、及び駐車料金割引プログラムに関する。
【背景技術】
【０００２】
現在、有料駐車場において特定の小売店や飲食店などで商品を購入した場合、購入した商品の合計金額に対応して有料駐車場の割引券を顧客に渡すサービスが行われている。
【０００３】
このような駐車場の管理システムには例えば特許文献１が知られている。この特許文献１では、小売店などで取引終了時に印刷されるレシートに常にバーコードで記載された割引情報を印刷する。そして、これをバーコード読取り部が設けられた精算機で読取ることにより割引処理を行う発明が開示されている。
【特許文献１】特開２００４−１９９１５３号公報
【発明の開示】
【発明が解決しようとする課題】
【０００４】
複数の小売店舗が集まっている商店街や駅ビルなどでは近くにある有料駐車場などと提携し、割引券を配布している場合が多い。通常、よく行われている方法として１枚又は複数枚レシートをサービスカウンターなどに持って行き、割引券と交換する方法などがある。また、特許文献１では一取引ごとに割引券を発行する方法が開示されている。しかしこのような方法では、顧客に複数枚の領収書又は割引券の管理負担を強いなければならない。また紛失の恐れもある。また特許文献１のような方法では、端数が切り捨てられてしまい、各小売店で購入した商品・役務の合計金額に対して駐車料金の割引を顧客は受けることができない。結果として、顧客に余計な出費を強いることになる。
【０００５】
本発明はこのような事情に基づいてなされたもので、その目的とするところは、顧客に対し利便性の高い駐車料金割システムを提供することを目的する。
【課題を解決するための手段】
【０００６】
上記目的を達成するために、本発明の駐車料金割引システムは、購入金額を記憶する購入記憶部を有する電子マネー記憶媒体と、金額を入力する金額入力手段と、前記金額入力手段により入力された金額を電子マネーを用いて精算する精算手段と、前記精算手段により精算された金額を前記電子マネー記憶媒体の購入記憶部に累計記憶させる累計記憶手段とを有する料金処理装置と、入庫情報と出庫情報の少なくとも一方から駐車料金を取得する駐車料金取得手段と、前記電子マネー記憶媒体の購入記憶部に記憶されている購入金額を読込む金額読込み手段と、前記金額読込み手段により読込まれた購入金額をもとに、購入金額と割引情報を対応付けて記憶する割引情報記憶手段から割引情報を取得する割引情報取得手段と、前記駐車料金取得手段により取得した駐車料金と前記割引情報取得手段によって取得した割引情報とから駐車料金の残金を求める駐車残金求め手段と、前記駐車残金求め手段によって求められた結果を表示する表示手段とを有する駐車料金割引機と、を有することを特徴としている。
【発明の効果】
【０００７】
本発明によれば、顧客は発行された紙媒体の管理を意識する必要がないので、利便性の高い駐車料金割引を顧客に提供することができる。
【発明を実施するための最良の形態】
【０００８】
以下、本発明の実施の形態について図面を用いて詳細に説明する。
【実施例１】
【０００９】
図１は料金処理装置の一例であるＰＯＳ（Ｐｏｉｎｔ  ｏｆ  Ｓａｌｅｓ）端末１のブロック図である。このＰＯＳ端末１には、演算装置・制御装置としてのＣＰＵ１１が設けられている。このＣＰＵ１１にはバスライン１２を介して、ＲＯＭ１３、ＲＡＭ１４、ＨＤＤコントローラー１５、キーボードコントローラー１６、客用表示コントローラー１７、店用表示コントローラー１８、プリンタコントローラー１９、Ｉ／Ｏ（Ｉｎｐｕｔ／Ｏｕｔｐｕｔ）ポート２０、非接触端末リーダライタ２６（以下非接触端末Ｒ／Ｗ２６と記載する）が接続されている。そして、これらの各コントローラー１５、１６、１７、１８、１９には、ＨＤＤ２１、キーボード２２、顧客に対して取引結果などを表示する客用表示器２３、接客係に対して取引結果などを表示する店用表示器２４、レシートを印刷するプリンタ２５が接続されている。
【００１０】
前記ＲＯＭ１３には、前記ＣＰＵ１１によって読み出されて当該ＣＰＵ１１を様々な機能として働かせるプログラムや当該プログラムによるデータ処理の対象となる固定的なデータが格納されている。前記ＲＡＭ１４には、プログラムによるデータ処理の作業領域となるワークエリアなどの様々なメモリエリアが動的に形成される。また、顧客が購入した商品のＰＬＵコードに対応する商品名、単価、買上点数、その小計金額と合計金額などを取引ナンバーごとに記憶する。
【００１１】
前記ＨＤＤコントローラー１５は、前記ＨＤＤ２１に対するデータやプログラムなどの読み書きの制御を行う。このＨＤＤコントローラー１５によって制御される前記ＨＤＤ２１の記憶領域には、取引ナンバーごとに一取引の情報を記憶する取引ファイルや、商品ごとの売上を記憶する売上ファイルと、ＰＬＵコードに対応して商品名や金額などを記憶するＰＬＵファイルが記憶されている。なお、これらのファイルの図示は省略する。
【００１２】
前記非接触端末Ｒ／Ｗ２６は、前記ＣＰＵ１１などからの命令に応じて図示しない電子マネー記憶媒体１００から受信したデータを前記バスライン１２に送出し、前記バスライン１２から受取ったデータを前記電子マネー記憶媒体１００への送信の制御を行う。
【００１３】
なお、前記電子マネー記憶媒体１００は、前記非接触端末Ｒ／Ｗ２６と通信を行うための通信部（例えばアンテナ）と後述するデータを記憶する記憶部を有している。この記憶部が購入記憶部に相当する。また、前記電子マネー記憶媒体１００の一例として、非接触ＩＣカードや、非接触ＩＣカードの機能を搭載した携帯電話やＰＤＡなどが挙げられる。なお、前記電子マネー記憶媒体１００が電子マネー記憶媒体に相当する。
【００１４】
前記キーボードコントローラー１６は、前記キーボード２２からの入力信号を処理し、操作されたキーに対応するキーコードなどを前記バスライン１２に送出するものである。このキーボードコントローラー１６に接続されているキーボード２２は、数字を入力するためのテンキー、ＰＬＵコードを入力するためのＰＬＵキー、締め宣言を行う預／現計キー、電子マネーでの支払を宣言する電子マネー支払キーなどを備える。
【００１５】
前記客用表示コントローラー１７は、顧客に対して取引結果などを表示する客用表示器２３を制御し、前記ＣＰＵ１１などからの指令に応じて前記バスライン１２から受取ったデータなどに基づく情報を客用表示器２３の画面に表示させる。同様に、前記店用表示コントローラー１８は、キャッシャに対して取引結果などを表示する店用表示器２４の画面表示を制御する。
【００１６】
前記プリンタコントローラー１９は、用紙に所定の情報を印刷する印刷部や所定情報が印刷された用紙を切断するカッターなどを備えたプリンタ２５を制御する。プリンタ２５は、ロール状に巻かれた状態で納められている長尺紙の端を印刷の際に順次引き出して印刷用紙として使用し、その引き出された長尺紙の端から順に印刷部で印刷を行うものである。この印刷部で印刷される情報は、前記ＣＰＵ１１などからの指令に応じて前記バスライン１２から受取ったデータなどに基づくものである。
【００１７】
前記Ｉ／Ｏポート２０は、接続されている図示しないモードスイッチから入力された信号に基づいて所定のデータを前記バスライン１２に出力したり、前記ＣＰＵ１１からの指令などに応じて接続されている図示しないドロワに起動信号を出力したりする。前記ドロワは、現金などを収納するもので、前記Ｉ／Ｏポート２０から出力される駆動信号に基づいてその収納部上の開口を外部に露呈させる。前記モードスイッチは、「登録」、「点検」、「精算」、「設定」などの前記電子キャッシュレジスタ１における各種業務モードの何れかのモードへと切り替えるための切替えスイッチで、鍵にて切替え操作される。鍵位置に対応するモード信号は、前記モードスイッチから前記Ｉ／Ｏポート２０に入力され、前記ＣＰＵ１１によって選択されたモードが認識される。
【００１８】
図２は前記電子マネー記憶媒体１００の記憶部に記憶される買上合計ファイル３０である。この買上合計ファイル３０には顧客が一取引で買上げた金額の累計が記憶される。精算時の支払ごとに、支払った金額が買上合計ファイル３０に加算されていく（この購入記憶部の買上合計ファイル３０が購入記憶部に相当する）。なお、本実施例ではこの買上合計ファイル３０の初期値は０であるとする。この記憶部に記憶される買上合計ファイル３０が使用金額記憶手段に相当する。
【００１９】
図３は駐車精算機５０のブロック図である。本実施例では駐車料金の精算と割引を一つの装置で行っている。このため、この駐車精算機５０には駐車料金割引機が含まれる。そして、この駐車精算機５０には、演算装置・制御装置としてのＣＰＵ５１が設けられている。このＣＰＵ５１にはバスライン５２を介して、ＲＯＭ５３、ＲＡＭ５４、時刻を計上するタイマー５５、プリンタコントローラー５６、表示コントローラー５７、Ｉ／Ｏユニット５８、キーボードコントローラー６５、ＨＤＤコントローラー６７が接続されている。そして、これらのプリンタコントローラー５６にはプリンタ５９が、表示コントローラー５７には駐車料金や支払った金額、割引金額などを表示する表示器６０、キーボードコントローラー６５にはキーボード６６がＨＤＤコントローラー６７にはＨＤＤ６８が、それぞれ接続されている。また、前記Ｉ／Ｏユニット５８には、駐車券読取り器６１、非接触端末Ｒ／Ｗ６２、紙幣処理器６３、貨幣処理器６４が接続されている。
【００２０】
前記ＲＡＭ５４は、プログラムによるデータ処理の作業領域となるワークエリアなどの様々なメモリエリアが動的に形成される。
【００２１】
前記ＨＤＤ６８には、駐車料金記憶ファイル７０と割引情報ファイル８０とが記憶されている。この駐車料金記憶ファイル７０は、図４に示すように、駐車時間に対応する駐車料金を記憶している。また、割引情報ファイル８０は図５に示すように、顧客が商品を購入した合計金額の範囲に対応して、割引金額が設定されている。
【００２２】
前記駐車券読取り器６１は、顧客が保持する駐車券の挿入口と、この挿入口から挿入された駐車券の情報を読取る読取り部により形成される。
【００２３】
非接触端末Ｒ／Ｗ６２は、前記ＣＰＵ５１などからの命令に応じて電子マネー記憶媒体１００から受信したデータを前記バスライン５２に送出し、前記バスライン５２から受取ったデータを前記電子マネー記憶媒体１００への送信の制御を行う。
【００２４】
紙幣処理器６３は紙幣投入口と投入された紙幣を計測する紙幣計測部からなり、貨幣処理器６４は貨幣投入口と投入された貨幣を計測する貨幣計測部からなる。
【００２５】
前記キーボード６６には図示しない領収書発行キーが設けられている。この領収書発行キーが押下されたなら、領収書が発行される。
【００２６】
しかして、以上のようなハードウェア構成、ファイル構成からなる前記ＰＯＳ端末１において、前記ＣＰＵ１１は、その動作モードとして「登録」業務が選択されているとき、予め設定されているプログラムに基づいて、図６に示す精算処理を行う。
【００２７】
まず、Ｓ（ステップ）１として前記ＰＬＵキーが押下され、対応するキー信号が入力される。そして入力されたＰＬＵキーのキー信号に対応する商品名、金額などのデータを前記ＰＬＵファイルから検索して、前記ＲＡＭ１４に記憶する（このＰＬＵキーのキー信号が入力され、前記ＣＰＵ１１の命令によって前記ＰＬＵファイルから対応する金額を検索し、該当する情報を前記ＲＡＭ１４に記憶する処理が、金額入力手段に相当する）。そして入力されたＰＬＵコードに対応する商品名、金額など前記客用表示器２３と前記店用表示器２４に表示する。
【００２８】
続いて小計キーのキー信号が入力されたか否かを判別する（Ｓ２）。そして、前記小計キーの操作による信号入力を検知しない場合（Ｓ２のＮｏ）、再び前記Ｓ１に戻り、ＰＬＵコードが入力される。一方、前記小計キーのキー信号が入力されたなら（Ｓ２のＹｅｓ）、前記ＲＡＭ１４に記憶されている商品ごとの単価の和を算出し、その和を小計金額として前記ＲＡＭ１４にさらに記憶し、この小計金額を前記客用表示器２３と前記店用表示器２４の画面に表示させる（Ｓ３）。
【００２９】
前記Ｓ３にて小計金額が表示されると、続いて前記電子マネー支払キーが押下され、前記非接触端末Ｒ／Ｗ２６を介して前記電子マネー記憶媒体１００に記憶されている電子マネーが入力され、精算処理が行われる（Ｓ４）（前記電子マネー支払キーのキー信号が入力され、前記ＣＰＵ１１の命令により前記非接触端末Ｒ／Ｗ２６を介して前記電子マネー記憶媒体１００と通信を行ない、前記ＲＡＭ１４に記憶されている小計金額を精算する処理が精算手段に相当する）。
【００３０】
このＳ４にて精算処理が完了すると、前記非接触端末Ｒ／Ｗを２６通じて、前記ＲＡＭ１４に記憶されている小計金額が、前記電子マネー記憶媒体１００の前記買上合計ファイル３０に加算される（Ｓ５）（前記ＣＰＵ１１の命令によって小計金額を前記買上合計ファイル３０に加算し、記憶するこのＳ５処理が累計記憶手段に相当する）。
【００３１】
そして、前記ＲＡＭ１４に記憶されている買上商品や買上点数などの情報を取引ナンバーと共に前記ＨＤＤ２１の取引ファイルに更新する（Ｓ６）。
【００３２】
最後に、前記ＲＡＭ１４に記憶されている小計金額、預かり金、取引時間、取引ナンバーなど情報から、印刷データを作成し、この印刷データを前記プリンタ２５に出力して、レシート用紙及びジャーナル用紙に今回取引の明細を印刷し（Ｓ７）、一取引における登録処理を終了する。
【００３３】
また前述したハードウェア構成、ファイル構成からなる前記駐車精算機５０において、前記ＣＰＵ５１は予め設定されているプログラムに基づいて、図７に示す精算処理を実行する。
【００３４】
まず、Ｓ５１として前記駐車券読取り器６１の駐車券投入口から駐車券が投入され、前記駐車券読取り器６１の読取り部が動作し、駐車券に記憶されている時刻が読取られ、駐車時間が入力される。
【００３５】
駐車券に記憶されている時刻が入力されると、前記タイマー５５が計上する現在の時刻とから、駐車時間を算出する。そして、算出された駐車時間を前記ＲＡＭ５４の所定のエリアに記憶する。駐車時間を前記ＲＡＭ５４に記憶すると、算出された駐車時間から、前記ＨＤＤ６８の駐車料金記憶ファイル７０から駐車時間に対応する駐車料金を検索する。そして、発見された駐車料金を前記ＲＡＭ５４に記憶する（Ｓ５２）（前記駐車権読取り器６１から駐車時間が入力され、そして前記タイマー５５の現在の時刻とから駐車時間が算出され、前記ＨＤＤ６８の駐車料金記憶ファイル７０から駐車時間に対応する料金を検索し、前記ＲＡＭ５４に記憶する処理が駐車料金取得手段に相当する）。
【００３６】
続いて前記ＲＡＭ５４に記憶された駐車料金を読み出し、前記表示器６０に表示する（Ｓ５３）。
【００３７】
前記Ｓ５３にて前記表示器６０に駐車料金を表示すると、続いて前記電子マネー記憶媒体１００から前記非接触端末Ｒ／Ｗ６２を介して前記買上合計ファイル３０に記憶されている買上合計金額が入力され、前記ＲＡＭ５４に記憶される（Ｓ５４）。この前記買上合計ファイル３０に記憶されている買上合計金額が入力される処理が金額読込み手段に相当する。また、前記電子マネー記憶媒体１００の前記買上合計ファイル３０に記憶されている買上合計金額を前記駐車精算機５０に出力する処理が、出力手段に相当する。
【００３８】
買上合計金額を記憶すると、記憶した買上合計金額を基に前記ＨＤＤ６８に記憶されている前記割引情報ファイル８０から割引金額を検索し、該当する割引金額を前記ＲＡＭ５４に記憶する（Ｓ５５）。この買上合計金額を基に前記割引情報ファイル８０から割引金額を検索し、前記ＲＡＭ５４に記憶する処理が割引情報取得手段に相当する。
【００３９】
そして、前記ＲＡＭ５４に記憶した駐車料金と割引金額とを比較する（Ｓ５６）。駐車料金が割引金額よりも少ないなら（Ｓ５６のＮｏ）、駐車料金の支払が完了したと判別し、駐車料金の精算を行い、前記表示器６０に駐車料金と割引金額と支払った金額である「０」を表示する（Ｓ５８）。
【００４０】
一方、駐車料金が割引金額よりも多いと判別したのなら（Ｓ５６のＹｅｓ）、駐車料金から割引金額を減算する（Ｓ５７）。そして、残りの金額が前記電子マネー記憶媒体１００から前記非接触端末Ｒ／Ｗ６２を介して入力され、精算処理が行われる。そして、駐車料金などが前記表示器６０に表示される（Ｓ５８）。前記Ｓ５６において駐車料金と割引金額を比較し、前記Ｓ５８にて残金「０」を求める処理と前記Ｓ５７にて駐車金額と割引金額から残金を算出する手段とが、駐車残金求め手段に相当する。また、求めた結果を前記表示器６０に表示する処理が表示手段に相当する。
【００４１】
前記Ｓ５８にて精算処理が完了すると、前記電子マネー記憶媒体１００の前記買上合計ファイル３０を前記前記非接触端末Ｒ／Ｗ６２を介してクリアする（Ｓ５９）。そして、領収書ボタンが押下されたか否かを判定する（Ｓ６０）。
【００４２】
押下されたと判定しないなら（Ｓ６０のＮｏ）、精算処理を終了する。一方、押下されたと判定するなら（Ｓ６０のＹＥＳ）、領収書を印刷し（Ｓ６１）処理を終了する。
【００４３】
次に以上のようなハードウェア構成を備え、図６と図７のフローチャートに基づいた所定のデータ処理を行う前記ＰＯＳ端末１と前記駐車精算機５０の動作について説明する。
【００４４】
顧客が保持する前記電子マネー記憶媒体１００には３０００円が記憶されているものとし、前記買上合計ファイル３０には０円が記憶されているものとする。なお、顧客は１５００円の商品を買い上げたとする。これにより顧客は１００円の駐車料金の割引を得る。また、駐車時間は１時間３０分であるとし、駐車料金は２００円であるとする。
【００４５】
まず顧客が前記電子マネー記憶媒体１００を使用して商品を購入する場合について説明する。
【００４６】
まず、顧客は商品をキャッシャに渡す。商品を渡されたキャッシャはキーボードを操作してＰＬＵコードを入力する。ＰＬＵコードが入力されると、ＰＬＵファイルから対象となる商品の金額、商品名などが前記客用表示器２３と前記店用表示器２４に表示される。
【００４７】
そしてそれを目視で確認した顧客は電子マネーで支払う旨を口頭で伝え、キャッシャは前記電子マネー支払キーを押下する。その後、顧客は前記電子マネー記憶媒体１００を前記非接触端末Ｒ／Ｗ２６にかざす。すると前記非接触Ｒ／Ｗ２６を介して電子マネー残金「３０００」円の前記電子マネー記憶媒体１００から代金である「１５００」円が支払われ精算処理が行われる。
【００４８】
続いて、前記電子マネー記憶媒体１００の買上合計ファイル３０に「１５００」円が加算される。このとき、買上合計ファイル３０に記憶されている値は０であるため、１５００＋０の加算が行われ、「１５００」の値がこの買上合計ファイル３０に記憶される。
【００４９】
この買上合計ファイル３０に金額が加算されると、買い上げた商品の情報を取引ファイルに更新する。そして、今回取引の内容をレシートに印刷する。
【００５０】
続いて、顧客が駐車料金を精算する場合について説明する。
【００５１】
顧客はまず前記駐車精算機５０の前記駐車券読取り器６１の開口部に駐車券を挿入することにより、駐車した時刻を入力する。入力された駐車券の時刻と現時刻とから駐車時間である１時間３０分を算出し、前記ＲＡＭ５４に記憶する。そして、前記ＨＤＤ６８の駐車料金記憶ファイル７０から１時間３０分に対応する金額「２００」円を検索し、前記ＲＡＭ５４に記憶する。そしてこの前記ＲＡＭ５４に記憶されている「２００」が前記表示器６０に表示される。
【００５２】
続いて顧客は前記非接触端末Ｒ／Ｗ６２を介して、所持している前記電子マネー記憶媒体１００にて支払いを行う。前記電子マネー記憶媒体１００と前記非接触端末Ｒ／Ｗ６２が通信可能な距離まで近づけると、買上合計ファイル３０に記憶されている「１５００」が前記非接触端末Ｒ／Ｗ６２を介して入力される。
【００５３】
買上合計ファイル３０に記憶されている情報「１５００」が入力されると、前記割引情報ファイル８０から割引金額「１００」を検索し、前記ＲＡＭ５４に記憶する。
【００５４】
割引金額「１００」が検索されると、駐車料金「２００」と減算を行い、その差「１００」を前記ＲＡＭ５４に記憶する。この場合まだ支払い金額が残っているので、前記非接触端末Ｒ／Ｗ６２を介して前記電子マネー記憶媒体１００と通信を行い、前記電子マネー記憶媒体１００の残金「１５００」円から残りの駐車料金「１００」が支払われる。
【００５５】
駐車料金の支払いを終えると、顧客は領収書ボタンを押下し、前記プリンタ５９から印刷された領収書を受け取って、駐車料金の精算処理を終える。
【００５６】
以上により、顧客はレシートを集めてサービスカウンターなどによる手間が省ける。またレシートなどの管理を行う必要もない。また、電子マネーでのスムーズな精算を行うことができる。
【実施例２】
【００５７】
次に実施例２について図１、図３、図４、図５、図８、図９、図１０、を用いて説明する。
【００５８】
実施例２で使用されるＰＯＳ端末１と駐車精算機５０のハードウェア構成は実施例１と同様であるため説明を省略する。ただし、このＰＯＳ端末１と駐車精算機５０のそれぞれのＨＤＤには後述する小売ＩＤが記憶されている。また、本実施例における電子マネー記憶媒体１００は図８に示すようにＩＤ別合計ファイル９０として、小売ＩＤごとに買上合計金額を記憶する。前記電子マネー記憶媒体１００には複数の小売ＩＤが記憶されてもよい。前記ＰＯＳ端末１の小売ＩＤを記憶する領域を料金装置識別子記憶手段に相当し、前記駐車精算機５０の小売ＩＤを記憶する領域が駐車識別し記憶手段に相当する。
【００５９】
小売ＩＤとは顧客が購入した合計金額と割引対象の駐車場を紐付けするためのＩＤである。例えばショッピングモール内の複数の小売店や商店街の複数の小売店のＰＯＳ端末に同一の小売ＩＤを記憶させる。商品購入時にはＰＯＳ端末が記憶する小売ＩＤを電子マネー記憶媒体から検索し、対応するＩＤの買上合計金額に購入料金を加算していく。そして、駐車料金の精算時に駐車精算機は自身が記憶している小売ＩＤを電子マネー記憶媒体から検索し、対応する買上合計金額に対応する割引を行う。
【００６０】
しかして、以上のようなハードウェア構成、ファイル構成からなる前記ＰＯＳ端末１において、前記ＣＰＵ１１は、その動作モードとして「登録」業務が選択されているとき、予め設定されているプログラムに基づいて、図９に示す精算処理を行う。
【００６１】
まず、Ｓ１０１として前記ＰＬＵキーが押下され、ＰＬＵキーのキー信号が入力される。そして、ＰＬＵキーに対応する商品名、金額などのデータを前記ＰＬＵファイルから検索して、前記ＲＡＭ１４に記憶する。そして入力されたＰＬＵコードに対応する商品名、金額など前記客用表示器２３と前記店用表示器２４に表示する
【００６２】
続いて小計キーのキー信号が入力されたか否かを判別する（Ｓ１０２）。そして、前記小計キーの操作による信号入力を検知しない場合（Ｓ１０２のＮｏ）、再び前記Ｓ１に戻り、ＰＬＵコードが入力される。一方、前記小計キーのキー信号が入力されたなら（Ｓ１０２のＹｅｓ）、前記ＲＡＭ１４に記憶されている商品ごとの単価の和を算出し、その和を小計金額として前記ＲＡＭ１４にさらに記憶し、この小計金額を前記客用表示器２３と前記店用表示器２４の画面に表示させる（Ｓ１０３）。
【００６３】
前記Ｓ１０３にて小計金額が表示されると、続いて前記電子マネー支払キーが押下され、前記非接触端末Ｒ／Ｗ２６を介して前記電子マネー記憶媒体１００に記憶されている電子マネーが入力され、精算処理が行われる（Ｓ１０４）。
【００６４】
そして精算処理が前記Ｓ１０４にて完了すると、前記ＰＯＳ端末１は前記ＨＤＤ２１に記憶されている小売ＩＤを今回支払いに使用された前記電子マネー記憶媒体１００の前記ＩＤ別合計ファイル９０から検索する（Ｓ１０５）。
【００６５】
そして、今回支払いに使用された前記電子マネー記憶媒体１００の前記ＩＤ別合計ファイル９０に前記ＰＯＳ端末１が記憶する小売ＩＤが記憶されていると判別する場合（Ｓ１０６のＹｅｓ）、前記ＩＤ別合計ファイル９０の対応する小売ＩＤの買上合計金額に今回取引を加算する（Ｓ１０８）。
【００６６】
一方、今回支払いに使用された前記電子マネー記憶媒体１００の前記ＩＤ別合計ファイル９０に前記ＰＯＳ端末１が記憶する小売ＩＤが記憶されていないと判別する場合（Ｓ１０６のＮｏ）、前記ＩＤ別合計ファイル９０に前記ＰＯＳ端末１の小売ＩＤを書き込み（Ｓ１０７）、前記ＩＤ別合計ファイル９０の対応する小売ＩＤの買上合計金額に今回取引を加算する（Ｓ１０８）。前記Ｓ１０５から前記Ｓ１０８までの処理が実施例２における累計記憶手段に相当する。
【００６７】
そして、前記ＲＡＭ１４に記憶されている買上商品や買上点数などの情報を取引ナンバーと共に前記ＨＤＤ２１の取引ファイルに更新する（Ｓ１０９）。
【００６８】
最後に、前記ＲＡＭ１４に記憶されている小計金額、預かり金、取引時間、取引ナンバーなど情報から、印刷データを作成し、この印刷データを前記プリンタ２５に出力して、レシート用紙及びジャーナル用紙に今回取引の明細を印刷し（Ｓ１１０）、一取引における登録処理を終了する。
【００６９】
また前述したハードウェア構成、ファイル構成からなる前記駐車精算機５０において、前記ＣＰＵ５１は予め設定されているプログラムに基づいて、図１０に示す精算処理を実行する。
【００７０】
まず、Ｓ１５１として前記駐車券読取り器６１の駐車券投入口から駐車券が投入され、前記駐車券読取り器６１の読取り部が動作し、駐車券に記憶されている時刻が入力される。
【００７１】
駐車券に記憶されている時刻が入力されると、前記タイマー５５が計上する現在の時刻とから、駐車時間を算出する。そして、算出された駐車時間を前記ＲＡＭ５４の所定のエリアに記憶する。駐車時間を前記ＲＡＭ５４に記憶すると、算出された駐車時間から、前記ＨＤＤ６８の駐車料金記憶ファイル７０から駐車時間に対応する駐車料金を検索する。そして、発見された駐車料金を前記ＲＡＭ５４に記憶する（Ｓ１５２）。
【００７２】
続いて前記ＲＡＭ５４に記憶された駐車料金を読み出し、前記表示器６０に表示する（Ｓ１５３）。
【００７３】
前記Ｓ１５３にて前記表示器６０に駐車料金を表示すると、続いて前記電子マネー記憶媒体１００の前記ＩＤ別合計ファイル９０から前記駐車料金割引機５０の前記ＨＤＤ６８に記憶される小売ＩＤを検索し、前記ＨＤＤ６８に記憶する小売ＩＤが発見できたかを判定する（Ｓ１５４）。
【００７４】
そして前記Ｓ１５４にて小売ＩＤが発見できなければ（Ｓ１５４のＮｏ）、前記電子マネー記憶媒体１００から駐車料金の精算を行い、前記表示器６０に精算結果を表示する（Ｓ１５９）。
【００７５】
一方、前記１５４にて小売ＩＤが発見できたなら（Ｓ１５４のＹｅｓ）、前記ＩＤ別合計ファイル９０に記憶されている発見された小売ＩＤに対応する買上合計金額が入力され、前記ＲＡＭ５４に記憶される（Ｓ１５５）。前記Ｓ１５４、前記Ｓ１５５の処理が実施例２における金額読込み手段に相当する。
【００７６】
買上合計金額を記憶すると、記憶した合計金額を基に前記ＨＤＤ６８に記憶されている前記割引情報ファイル８０から割引金額を検索し、該当する割引金額を前記ＲＡＭ５４に記憶する（Ｓ１５６）。
【００７７】
そして、前記ＲＡＭ５４に記憶した駐車料金と割引金額とを比較する（Ｓ１５７）。駐車料金が割引金額よりも少ないなら（Ｓ１５７のＮｏ）、駐車料金の精算を行い、前記表示器６０に駐車料金と割引金額と支払った金額である「０」を表示する（Ｓ５９）。
【００７８】
一方、駐車料金が割引金額よりも多いと判別したのなら（Ｓ１５８のＹｅｓ）、駐車料金から割引金額を減算し、不足金額を算出する（Ｓ１５８）。そして、残りの金額が前記電子マネー記憶媒体１００から前記非接触端末Ｒ／Ｗ６２を介して入力され、精算処理が行われる。そして、駐車料金などが前記表示器６０に表示される（Ｓ１５９）。
【００７９】
前記Ｓ１５９にて精算処理が完了すると、前記電子マネー記憶媒体１００の前記買上合計ファイル３０を前記前記非接触端末Ｒ／Ｗ６２を介してクリアする（Ｓ１６０）。そして、領収書ボタンが押下されたか否かを判定する（Ｓ１６１）。
【００８０】
押下されたと判定しないなら（Ｓ１６１のＮｏ）、処理を終了する。一方、押下されたと判定するなら（Ｓ１６１のＹＥＳ）、領収書を印刷し（Ｓ１６２）処理を終了する。
【００８１】
次に以上のようなハードウェア構成を備え、図９と図１０のフローチャートに基づいた所定のデータ処理を行う前記ＰＯＳ端末１と前記駐車精算機５０の動作について説明する。
【００８２】
顧客が保持する前記電子マネー記憶媒体１００には３０００円が記憶されているものとし、前記ＩＤ別合計ファイル９０には０円が記憶されているものとする。なお、顧客は１５００円の商品を買い上げたとする。これにより顧客は１００円の駐車料金の割引を得る。また、駐車時間は１時間３０分であるとし、駐車料金は２００円であるとする。
【００８３】
そして、前記ＰＯＳ端末１と前記駐車精算機５０には小売ＩＤ「ＡＡＡＡ」が記憶されているものとする。
【００８４】
顧客が前記電子マネー記憶媒体１００を使用して商品を購入する場合について説明する。
【００８５】
まず、顧客は商品をキャッシャに渡す。商品を渡されたキャッシャはキーボードを操作してＰＬＵコードを入力する。ＰＬＵコードが入力されると、ＰＬＵファイルから対象となる商品の金額、商品名などが前記客用表示器２３と前記店用表示器２４に表示される。
【００８６】
そしてそれを目視で確認した顧客は口頭にて電子マネーで支払う旨を伝え、キャッシャはそれを受けて前記電子マネー支払キーを押下する。その後、顧客は前記電子マネー記憶媒体１００を前記非接触端末Ｒ／Ｗ２６にかざす。すると前記非接触Ｒ／Ｗ２６を介して電子マネー残金「３０００」円の前記電子マネー記憶媒体１００から代金である「１５００」円が支払われ、精算処理が行われる。
【００８７】
続いて、前記電子マネー記憶媒体１００の前記ＩＤ別合計ファイル９０から小売ＩＤ「ＡＡＡＡ」が検索され、前記ＩＤ別合計ファイル９０の「ＡＡＡＡ」に対応する買上合計金額に「１５００」円が加算される。このとき、前記ＩＤ別合計ファイル９０に記憶されている値は０であるため、１５００＋０の加算が行われ、「１５００」の値が前記ＩＤ別合計ファイル９０に記憶される。
【００８８】
前記ＩＤ別合計ファイル９０に金額が加算されると、買い上げた商品の情報を取引ファイルに更新する。そして、今回取引の内容をレシートに印刷する。
【００８９】
続いて、顧客が駐車料金を精算する場合について説明する。
【００９０】
顧客はまず前記駐車精算機５０の前記駐車券読取り器６１の開口部に駐車券を挿入することにより、駐車した時刻を入力する。入力された駐車券の時刻と現時刻とから駐車時間である１時間３０分を算出し、前記ＲＡＭ５４に記憶する。そして、前記ＨＤＤ６８の駐車料金記憶ファイル７０から１時間３０分に対応する金額「２００」円を検索し、前記ＲＡＭ５４に記憶する。そしてこの前記ＲＡＭ５４に記憶されている「２００」が前記表示器６０に表示される。
【００９１】
続いて顧客は前記非接触端末Ｒ／Ｗ６２を介して、所持している前記電子マネー記憶媒体１００にて支払いを行う。このとき、前記電子マネー記憶媒体１００と前記非接触端末Ｒ／Ｗ６２が通信可能な距離まで近づけると、前記ＩＤ別合計ファイル９０に記憶されている小売ＩＤ「ＡＡＡＡ」が検索され、この小売ＩＤに対応する「１５００」が前記非接触端末Ｒ／Ｗ６２を介して入力される。
【００９２】
前記ＩＤ別合計ファイル９０に記憶されている情報「１５００」が入力されると、前記割引情報ファイル８０から割引金額「１００」を検索し、前記ＲＡＭ５４に記憶する。
【００９３】
割引金額「１００」が検索されると、駐車料金「２００」と減算を行い、その差「１００」を前記ＲＡＭ５４に記憶する。この場合まだ支払い金額が残っているので、前記非接触端末Ｒ／Ｗ６２を介して前記電子マネー記憶媒体１００と通信を行い、前記電子マネー記憶媒体１００の残金「１５００」から、残りの駐車料金「１００」の支払われる。
【００９４】
駐車料金の支払いを終えると、顧客は領収書ボタンを押下し、前記プリンタ５９から印刷された領収書を受け取って、駐車料金の精算処理を終える。
【００９５】
これにより電子マネーに記憶される金額をＩＤごとに管理しているので、一つの電子マネー記憶媒体で、複数店舗の情報を管理することができる。これにより、顧客は電子マネー記憶媒体を複数所持する必要もないので、利便性は向上する。
【００９６】
以上、本発明の実施の一形態についての動作を詳述したが、本発明はこの実施形態に限られるものではなく、本発明の要旨を逸脱しない範囲の設計変更があっても本発明に含まれる。例えば、以下のような実施が考えられる。
【００９７】
本実施例では料金処理装置の一例として、ＰＯＳ端末を記載したが、料金処理装置には自動販売機や駅などで使用される自動改札機なども含まれる。自動改札機の場合を例に挙げて説明する。改札口から出るとき、顧客は電子マネー記憶媒体によって乗った距離に応じて電車の運賃を支払う。この料金精算時に、顧客が支払った乗車金額が電子マネー記憶媒体の記憶部に累計記憶されるようにすればよい。電車を使用して目的地に向かう場合、往復で電車を使用する場合が多い。これにより、顧客は電車に乗った金額（距離）に応じて駐車場の割引サービスを受けることができるので、駅付近の駐車場を利用しやすくなる。
【００９８】
なお、本実施例の累計記憶手段では一取引ごとに加算処理を行っているが、前記買上合計ファイル３０に一取引ごとの小計金額を順次記憶し、駐車料金精算時に記憶された小計金額の合計を求めるようにしてもよい。
【００９９】
また、本実施例では商品購入時の割引を例に挙げて説明しているが、サービスに対して支払う金額に対する割引も本発明の範囲内である。さらにサービスに対して支払った金額と商品の購入に対して支払った金額の合計金額に対して割引を行うことは当然に本発明の範囲内である。
【図面の簡単な説明】
【０１００】
【図１】本発明における一実施形態ＰＯＳ端末のブロック図
【図２】本発明における電子マネー記憶媒体の記憶部に記憶される買上合計ファイルの一例を示す説明図
【図３】本発明における一実施形態の駐車精算機のブロック図
【図４】本発明における一実施形態の駐車精算機のＨＤＤに記憶される駐車料金記憶ファイルの一例を示す説明図
【図５】本発明における一実施形態の駐車精算機のＨＤＤに記憶される割引情報ファイルの一例を示す説明図
【図６】本発明の実施例１におけるのＰＯＳ端末の精算処理のフローチャート
【図７】本発明の実施例１の駐車精算機の精算処理のフローチャート
【図８】本発明における電子マネー記憶媒体の記憶部に記憶されるＩＤ別合計ファイルの一例を示す説明図
【図９】本発明の実施例２におけるのＰＯＳ端末の精算処理のフローチャート
【図１０】本発明の実施例１の駐車精算機の精算処理のフローチャート
【符号の説明】
【０１０１】
１  ＰＯＳ端末
２６  非接触端末Ｒ／Ｗ
３０  買上合計ファイル
５０  駐車精算機
７０  駐車料金記憶ファイル
８０  割引情報ファイル
９０  ＩＤ別合計ファイル
【図１】
2010140175.tif 000003
【図２】
2010140175.tif 000004
【図３】
2010140175.tif 000005
【図４】
2010140175.tif 000006
【図５】
2010140175.tif 000007
【図６】
2010140175.tif 000008
【図７】
2010140175.tif 000009
【図８】
2010140175.tif 000010
【図９】
2010140175.tif 000011
【図１０】
2010140175.tif 000012